(57)【要約】【課題】耐久性に優れ、水面近傍に浮遊する比重の軽いスカムの放流を防止することができる排水処理装置を提供すること。【解決手段】排水処理装置１は、排水を浄化処理するために、少なくとも静止沈殿工程及び放流工程を単一の処理槽２で行い、放流工程で処理槽２内の上澄水を排出するための排出ポンプ５１ａ〜５１ｃは、処理槽２の高さ方向に異なる位置に複数設けられている。これらの排出ポンプ５１ａ〜５１ｃは、それぞれ上部が開口している函体５２ａ〜５２ｃ内に収容されている。【選択図】  図２
2011230061.tif 000002
【特許請求の範囲】
【請求項１】
排水を浄化処理するために、少なくとも静止沈殿工程及び放流工程を単一の処理槽で行う排水処理装置において、
前記放流工程で処理槽内の上澄水を排出するための排出ポンプは、前記処理槽の高さ方向に異なる位置に複数設けられていることを特徴とする排水処理装置。
【請求項２】
前記排出ポンプは、上部が開口している函体内に収容されていることを特徴とする請求項１に記載の排水処理装置。
【請求項３】
前記処理槽は、内部に仕切りが設けられており、排水が流入する流入部と前記排出ポンプが設けられている処理部とに分かれており、流入部と処理部との間で通水が可能となっていることを特徴とする請求項１又は２に記載の排水処理装置。
【請求項４】
前記排水ポンプには排水管が接続されており、この排水管は分岐して、一方が前記処理槽外への放流管、他方が前記流入部への再流入管となっており、
前記放流管及び前記再流入管には弁が設けられており、前記排水ポンプによって吸引された吸引物を前記放流管又は前記再流入管のどちらに流すのか選択できることを特徴とする請求項３に記載の排出処理装置。
【請求項５】
前記処理部にはスカムスキマーが設けられており、このスカムスキマーで回収されたスカムは、スカムスキマーに接続されているスカム流入管によって前記流入部へ流入するようになっていることを特徴とする請求項３又は４に記載の排水処理装置。
【請求項６】
前記流入部において、流入物の勢いを弱めるための緩衝板が水面に浮いた状態で設けられていることを特徴とする請求項３乃至５いずれかに記載の排水処理装置。
【発明の詳細な説明】
【技術分野】
【０００１】
本発明は、排水を浄化処理するために、少なくとも静止沈殿工程及び放流工程を単一の処理槽で行う排水処理装置に関する。
【背景技術】
【０００２】
従来、塵芥を含む排水を浄化する装置として、好気性処理を利用した処理装置が知られている。その中でも、好気可溶化工程、好気微生物処理工程、静止沈殿工程及び放流工程を単一の処理槽で行う排水処理装置は、複数の処理槽を設ける必要がないため、装置全体を小型化することができる。このような単一の処理槽で行う排水処理装置は、例えば、ディスポーザシステムと組み合わせて一般家庭に設置可能となっている。
【０００３】
排水処理装置は、静止沈殿工程後の放流工程において、上澄水に沈殿汚泥が混入しないよう水面付近から順次放流する必要がある。水面付近から順次放流する上澄水排出装置として実開平０５−００２７９９に開示されているものがある。
【０００４】
実開平０５−００２７９９の上澄水排出装置は、蓋体で堰体内の溢流口を囲繞した集水函と、溢流口に接続する上部伸縮管、下部伸縮管、及び固定管を順次連設した排水導管と、集水函を所定位置に浮上保持するフロ−トと、集水函に空気を導入する空気導入管とが設けられている。
【先行技術文献】
【特許文献】
【０００５】
【特許文献１】実開平０５−００２７９９
【発明の概要】
【発明が解決しようとする課題】
【０００６】
しかし、実開平０５−００２７９９の上澄水排出装置は、伸縮管が伸縮を繰り返すことによって劣化して破損する恐れがあり耐久性に欠けるという問題があった。また、フロートによって上澄水排出装置が水面に浮かんでいることによって、水面近傍に浮遊する比重の軽いスカムが溢流口に流れ込んでしまう可能性があるという問題もあった。
【０００７】
上記点より本発明は、耐久性に優れ、水面近傍に浮遊する比重の軽いスカムの放流を防止することができる排水処理装置を提供することを目的とする。
【課題を解決するための手段】
【０００８】
上記課題を解決するため請求項１の排水処理装置は、排水を浄化処理するために、少なくとも静止沈殿工程及び放流工程を単一の処理槽で行う排水処理装置において、前記放流工程で処理槽内の上澄水を排出するための排出ポンプは、前記処理槽の高さ方向に異なる位置に複数設けられている。
【０００９】
排出ポンプが処理槽の高さ方向に異なる位置に複数設けられていることによって、伸縮管を使用することなく上澄水を排出できるので、耐久性に優れている。
【００１０】
また、前記処理槽の高さ方向に異なる位置に複数設けられている排水ポンプの中から沈殿物及び水面から離れた排出ポンプを選択して上澄み液を排出することによって、沈殿物及び水面近傍に浮遊する比重の軽いスカムが排出ポンプで吸引される上澄水に混ざることなく放流することができる。
【００１１】
請求項２の排水処理装置は、請求項１に記載の排水処理装置において、前記排出ポンプは、上部が開口している函体内に収容されている。
【００１２】
請求項２の排水処理装置によれば、請求項１に記載の排水処理装置と同様に作用する上、前記排出ポンプは、上部が開口している函体内に収容されていることによって、排水ポンプで上澄水を吸引する際に、処理槽内で撹拌が生じるような水流の発生を抑制することができる。これにより、処理槽の底に沈殿している沈殿物を巻き上げることなく上澄水を放流することができる。
【００１３】
請求項３の排水処理装置では、請求項１又は請求項２に記載の排水処理装置において、前記処理槽は内部に仕切りが設けられており、排水が流入する流入部と前記排出ポンプが設けられている処理部とに分かれており、流入部と処理部との間で通水が可能となっている。
【００１４】
請求項３の排水処理装置によれば、請求項１又は請求項２に記載の排水処理装置と同様に作用する上、仕切りによって水面近傍に浮遊する比重の軽いスカムの一部が流入部から処理部へと流出することが防止できる。したがって、水面近傍に浮遊する比重の軽いスカムが排出ポンプで吸引される上澄水に混ざることを防止できる。
【００１５】
請求項４の排水処理装置は、請求項３に記載の排水処理装置において、前記排水ポンプには排水管が接続されており、この排水管は分岐して、一方が前記処理槽外への放流管、他方が前記流入部への再流入管となっており、前記放流管及び前記再流入管には弁が設けられており、前記排水ポンプによって吸引された吸引物を前記放流管又は前記再流入管のどちらに流すのか選択できる。
【００１６】
請求項４の排水処理装置によれば、請求項３に記載の排水処理装置と同様に作用する上、函体内部に堆積した沈殿物を排水ポンプが吸引してしまった場合、再流入管を通して流入部へと戻すことができ、函体内部の沈殿物が無くなった後、上澄水を放流管を通して処理槽外へ放流することができる。
【００１７】
請求項５の排水処理装置は、請求項３又は請求項４に記載の排水処理装置において、前記処理部にはスカムスキマーが設けられており、このスカムスキマーで回収されたスカムは、スカムスキマーに接続されているスカム流入管によって前記流入部へ流入するようになっている。
【００１８】
請求項５の排水処理装置によれば、請求項３又は請求項４に記載の排水処理装置と同様に作用する上、スカムスキマーによって、処理部の水面近傍に浮遊する比重の軽いスカムを流入部へと戻すことができるようになっている。
【００１９】
請求項６の排水処理装置は、請求項３乃至請求項５のいずれかに記載の排水処理装置において、前記流入部において、流入物の勢いを弱めるための緩衝板が水面に浮いた状態で設けられている。
【００２０】
請求項６の排水処理装置によれば、請求項３乃至請求項５のいずれかに記載の排水処理装置と同様に作用する上、緩衝板が流入物の勢いを弱めることによって、流入物が処理槽に貯留されている処理水に直接注ぎ込まれることによって、処理水を撹拌するような水流が発生して沈殿物が巻き上げられることを防止できる。
【発明の効果】
【００２１】
請求項１から６のいずれかの発明によれば、排水処理装置の耐久性が優れており、水面近傍に浮遊する比重の軽いスカムの放流を防止することができる。
【図面の簡単な説明】
【００２２】
【図１】本発明の一実施形態の排水処理装置の概略を示す上面図である。
【図２】図１のＡ−Ａ断面線における断面図である。
【図３】本発明の別の実施形態の排水処理装置の概略を示す断面図である。
【発明を実施するための形態】
【００２３】
以下、本発明の一実施形態について図１及び図２に基づいて説明する。
【００２４】
排水処理装置１では、排水を浄化処理するために、好気可溶化工程、好気微生物処理工程、静止沈殿工程及び放流工程を単一の処理槽２で行われる。処理槽２の内部には、曝気用散気手段３、仕切り４、上澄水排出手段５及びスカムスキマー６が設けられている。
【００２５】
曝気用散気手段３は、処理槽２の底部近傍に設けられており、好気可溶化工程、好気微生物処理工程において、排水中に酸素を供給するとともに排水を撹拌できるようになっている。
【００２６】
処理槽２は、内部に仕切り４が設けられており、排水が流入する流入部２１と上澄水排出手段５の後述する排水ポンプ５１ａ〜５１ｃが設けられている処理部２２とに分かれている。仕切り４は処理槽２の底部まで達しておらず、仕切り４の下端と処理槽２の底部との間の空間を通して流入部２１と処理部２２との間で通水が可能となっている。尚、流入部２１には、排水を流入部２１に流入させるための排水流入管２３が設けられている。例えば、台所に設置されたディスポーザ装置で破砕された塵芥を含む排水がこの排水流入管２３を通して流入部２１に流入するようになっている。
【００２７】
上澄水排出手段５は、排水ポンプ５１ａ，５１ｂ，５１ｃと、この排水ポンプ５１ａ〜５１ｃがそれぞれ収容されている函体５２ａ，５２ｂ，５２ｃと、排水ポンプ５１ａ〜５１ｃに接続されている排水管５３とを有する。
【００２８】
放流工程で処理槽２内の上澄水を排出するための排出ポンプ５１ａ〜５１ｃは、処理槽２の高さ方向に異なる位置に複数設けられている。
【００２９】
函体５２ａ〜５２ｃは上部が開口しており、それらの函体５２ａ〜５２ｃ内にそれぞれ排出ポンプ５１ａ〜５１ｃが収容されている。排出ポンプ５１ａ〜５１ｃが処理槽２の高さ方向に異なる位置に複数設けられているので、それらの排水ポンプ５１ａ〜５１ｃをそれぞれ収容する函体５２ａ〜５２ｃも処理槽２の高さ方向に異なる位置に複数設けられている。排出ポンプ５１ａ〜５１ｃで吸引を行うとその開口から函体５２ａ〜５２ｃ内に上澄水が流入してくるようになっている。
【００３０】
排水ポンプ５１ａ〜５１ｃには排水管５３が接続されており、この排水管５３は分岐して、一方が処理槽２外への放流管５３ａ、他方が流入部２１への再流入管５３ｂとなっている。放流管５３ａ及び再流入管５３ｂには弁５４が設けられており、排水ポンプ５１ａ〜５１ｃによって吸引された吸引物を放流管５３ａ又は再流入管５３ｂのどちらに流すのか選択できるようになっている。
【００３１】
処理部５２にはスカムスキマー６が設けられている。スカムスキマー６は、水面に浮かんが状態で処理部の水面近傍に浮遊する比重の軽いスカムを回収できるようになっている。このスカムスキマー６で回収されたスカムは、スカムスキマー６に接続されているスカム流入管６１によって流入部２１へ流入するようになっている。
【００３２】
流入部２１において、前述の再流入管５３ｂ及びスカム流入管６１を通して流入する流入物の勢いを弱めるための緩衝板７が水面に浮いた状態で設けられている。
【００３３】
以下、排水処理工程について説明する。
【００３４】
排水の流入量が多い時間帯は、曝気用散気手段３で排水中に酸素を供給するとともに排水を撹拌し、好気可溶化、好気微生物処理のみを行う（好気可溶化工程、好気微生物処理工程）。次いで、排水の流入及び曝気を停止し、処理槽２全体で静止沈殿を行う（静止沈殿工程）。次いで、処理槽２の上澄水を上澄水排出手段５によって放流する（放流工程）。
【００３５】
以下、放流工程について詳細に説明する。静止沈殿工程後、処理槽２の底部には沈殿物８が沈殿し、水面近傍には比重の軽いスカムが浮遊している。放流工程では、まず、スカムスキマー６によって水面近傍に浮遊する比重の軽いスカムを回収しスカム流入管６１で流入部２１へと送る。
【００３６】
次いで、複数の函体５２ａ〜５２ｃのうちその開口が水面下にあって、かつ、水面に一番近い函体５２ａの中にある排水ポンプ５１ａで吸引を開始する。排水ポンプ５１ａで吸引を開始する際、函体５２ａ内には沈殿物が沈殿している場合もあるので、放流管５３ａの弁５４を閉じて再流入管５３ｂの弁５４を開けておく。これにより、函体５２ａ内の沈殿物は流入部２１へと流入するようになっている。
【００３７】
次いで、函体５２ａ内の沈殿物が無くなったら、排水ポンプ５１ａを一旦停止し放流管５３ａの弁５４を開けて再流入管５３ｂの弁５４を閉じて、再び排水ポンプ５１ａで吸引する。これにより、上澄水が処理槽２外へと放流されるようになっている。
【００３８】
排水ポンプ５１ａでの吸引によって、次第に処理槽２内の水位が低下する。吸引している排水ポンプ５１ａが収容されている函体５２ａの開口より水面が低くなったら、函体５２ａ内に上澄水が流入しなくなり、函体５２ａ内が空となる。
【００３９】
次いで、空となった函体５２ａより、処理槽２の高さ方向に低い位置にあり、開口が水面下にあって、かつ、水面に一番近い函体５２ｂの中にある排水ポンプ５１ｂで吸引を開始する。
【００４０】
排水ポンプ５１ｂでの吸引も、排水ポンプ５１ａの吸引と同じ手順で行われ、吸引している排水ポンプ５１ｂが収容されている函体５２ｂの開口より水面が低くなったら、函体５２ｂ内に上澄水が流入しなくなり、函体５２ｂ内が空となる。
【００４１】
次いで、空となった函体５２ｂより、処理槽２の高さ方向に低い位置にあり、開口が水面下にあって、かつ、水面に一番近い函体５２ｃの中にある排水ポンプ５１ｃで吸引を開始する。排水ポンプ５１ｃでの吸引も、排水ポンプ５１ａの吸引と同じ手順で行われる。
【００４２】
尚、スカムスキマー６は、放流工程の間ずっと稼動していてもよいし、一時的に稼動していてもよい。
【００４３】
また、本発明の別の実施形態として図３に示す排水処理装置がある。上記の実施形態との違いは、函体５２ａに二個の排水ポンプ５５ａ，５６ａが収容されており、函体５２ｂに二個の排水ポンプ５５ｂ，５６ｂが収容されており、函体５２ｃに二個の排水ポンプ５５ｃ，５６ｃが収容されている点である。排水ポンプ５５ａ〜５５ｃには放流管５３ａが接続されており、排水ポンプ５６ａ〜５６ｃには再流入管５３ｂが接続されている。
【００４４】
函体５２ａ〜５２ｃ内には沈殿物が沈殿している場合には、排水ポンプ５６ａ〜５６ｃをで吸引し函体５２ａ〜５２ｃ内の沈殿物は流入部２１へと流入させ、函体５２ａ〜５２ｃ内の沈殿物が無くなったら、排水ポンプ５５ａ〜５５ｃで吸引し上澄水が処理槽２外へと放流されるようになっている。
【００４５】
上記実施形態では、排水ポンプが三個である場合について説明したが、これに限定されることなく、処理槽の高さ方向に異なる位置に例えば、二個、四個、五個等の複数の排水ポンプが設けられていてもよい。
【００４６】
上記実施形態では、スカムスキマーが設けられている排水処理装置について説明したが、これに限定されることなく、スカムスキマーが設けられていない排水処理装置であってもよい。この場合、複数の函体のうちその開口が水面下にあって、かつ、水面に一番近い函体の中にある排水ポンプで吸引を開始することによって、水面近傍に浮遊する比重の軽いスカムを回収し、再流入管を通して流入部へと流入させることができる。その後、排水ポンプで吸引によって、処理部の上澄水を処理槽外へと放流することができる。
【００４７】
上記実施形態では、排水を浄化処理するために、好気可溶化工程、好気微生物処理工程、静止沈殿工程及び放流工程を単一の処理槽で行われる排水処理装置について説明したが、これに限定されることなく、静止沈殿工程及び放流工程のみを行う槽を有する排水処理装置であってもよい。
【符号の説明】
【００４８】
１              排水処理装置
２              処理槽
３              曝気用散気手段
４              仕切り
５              上澄水排出手段
６              スカムスキマー
７              緩衝板
８              沈殿物
２１            流入部
２２            処理部
２３            排水流入管
５１ａ〜５１ｃ，５５ａ〜５５ｃ，５６ａ〜５６ｃ  排水ポンプ
５２ａ〜５２ｃ  函体
５３            排水管
５３ａ          放流管
５３ｂ          再流入管
５４            弁
６１            スカム流入管
【図１】
2011230061.tif 000003
【図２】
2011230061.tif 000004
【図３】
2011230061.tif 000005